(57)【要約】      （修正有）【課題】うちわの握り柄に取り付けることにより、握り心地を改善し、手の疲れを感じにくくすることができる、握り補助具を提供する。【解決手段】内面に長手方向溝３が形成されるとともに、前後端部の外周に周方向溝６が形成された１対の分割握り部材２，２を備え、これら１対の分割握り部材２，２はその内面が対向するように重ね合わされ、それによって各分割握り部材２の長手方向溝３，３がうちわの握り柄が挿入される挿入孔を形成するとともに、各分割部材の周方向溝６，６が互いに連続して環状溝を形成し、環状溝に環状ゴム９が嵌め込まれている。【選択図】図１
0003171892.tif 000002
【実用新案登録請求の範囲】
【請求項１】
うちわの握り柄に取り付けられる握り補助具であって、
内面に長手方向溝が形成されるとともに、前後端部の外周に周方向溝が形成された１対の分割握り部材を備え、
これら１対の分割握り部材はその内面が対向するように重ね合わされ、それによって各分割握り部材の前記長手方向溝が前記うちわの握り柄が挿入される挿入孔を形成するとともに、各分割握り部材の前記周方向溝が互いに連続して環状溝を形成し、
この環状溝に環状ゴムが嵌め込まれていることを特徴とする、うちわの握り補助具。
【請求項２】
各分割握り部材の前後端部に厚肉部が設けられ、この厚肉部に前記周方向溝が形成されていることを特徴とする請求項１記載のうちわの握り補助具。
【請求項３】
一方の分割握り部材の前記長手方向溝の後端部にピンが直立して設けられ、他方の分割握り部材に前記ピンが挿入されるピン孔が設けられていることを特徴とする請求項１記載のうちわの握り補助具。
【考案の詳細な説明】
【技術分野】
【０００１】
この考案は、うちわの握り補助具に関し、さらに詳細には、うちわの握り柄に取り付けられて握り心地を改善するための補助具に関する。
【背景技術】
【０００２】
暑いときに涼風を送る道具として、日本古来のうちわがある。うちわは、握り柄を握って手首を揺れ動かすだけで涼風を発生させることができる簡便な道具であり、最も省エネルギー効果が高いものの１つである。
【０００３】
このうちわは、近年、販売商品の宣伝等のために無料で配布されることが多く、コストを低減するために本体及び握り柄ともに一体にプラスチックで成形され、特に握り柄は幅、厚みが小さく作られている。このため、握り心地が悪く、せいぜい数分間ではあるが長い間握って風送り動作をしていると、手の疲れを感じ易いという難点がある。
【先行技術文献】
【特許文献】
【０００４】
【特許文献１】なし
【考案の概要】
【考案が解決しようとする課題】
【０００５】
この考案は上記のような技術的背景に基づいてなされたものであって、次の目的を達成するものである。
この考案の目的は、既存のうちわの握り柄に取り付けることにより、握り心地を改善し、手の疲れを感じにくくすることができる、握り補助具を提供することにある。
【課題を解決するための手段】
【０００６】
この考案は上記課題を達成するために、次のような手段を採用している。
すなわち、この考案は、うちわの握り柄に取り付けられる握り補助具であって、
内面に長手方向溝が形成されるとともに、前後端部の外周に周方向溝が形成された１対の分割握り部材を備え、
これら１対の分割握り部材はその内面が対向するように重ね合わされ、それによって各分割握り部材の前記長手方向溝が前記うちわの握り柄が挿入される挿入孔を形成するとともに、各分割握り部材の前記周方向溝が互いに連続して環状溝を形成し、
この環状溝に環状ゴムが嵌め込まれていることを特徴とする、うちわの握り補助具にある。
【０００７】
より具体的には、各分割握り部材の前後端部に厚肉部が設けられ、この厚肉部に前記周方向溝が形成されている。また、一方の分割握り部材の前記長手方向溝の後端部にピンが直立して設けられ、他方の分割握り部材に前記ピンが挿入されるピン孔が設けられている。
【考案の効果】
【０００８】
この考案の握り補助具によれば、既存のうちわの握り柄に取り付けることにより、その厚み及び幅を適度な大きさに変えることができるので、握り心地が改善され、手の疲れを感じにくくすることができる。また、握り補助具は、互いに重ね合わされる１対の分割握り部材を備え、これら分割握り部材は前後端部の環状ゴムによって互いに押さえ付けられているので、うちわの握り柄の厚みが異なっていても、これを挿入孔に挿入することにより分割握り部材が互いに離間あるいは接近するように開閉し、種々の厚みをもつ握り柄に対応することができる。
【図面の簡単な説明】
【０００９】
【図１】この考案の実施形態を示し、一方の分割握り部材を半断面で示した正面図である。
【図２】同実施形態を示し、一方の分割握り部材を半部のみ示した平面図である。
【図３】（ａ）は図２のＡ−Ａ線矢視断面図、（ｂ）は図２のＢ−Ｂ線矢視図である。
【図４】使用方法を示す平面図である。
【考案を実施するための形態】
【００１０】
この考案の実施形態を図面を参照しながら以下に説明する。図面は、実際のものよりも約１．５倍に拡大して示されている。図１〜図３に示すように、この考案による握り補助具１は、１対の分割握り部材２，２を備えている。ここでいう「分割」とは、一方向に延びる部材をその長手方向に２分割したという意味である。分割の元になる部材形状は、この実施形態で示されているような断面が四角形（図３参照）、あるいは円形、楕円形、長円形等の種々の形状をとることができる。
【００１１】
分割握り部材２の材料は、木材、プラスチック等材質は問われないが、握ったときの感触の点では木材が優れている。１対の分割握り部材２，２は、全く形状が同じであり、プラスチックで射出成形する場合は同じ金型を用いることができる。
【００１２】
各分割握り部材２の内面には、長手方向溝３が形成されている。この長手方向溝３は前端部（うちわの握り柄の挿入側となる図１，図２の左側）から後端部にかけて全体に形成されているが、必ずしも後端部に達する溝でなくともよい。長手方向溝３の前端部周縁にはテーパ部４が設けられている。
【００１３】
各分割握り部材２の前後端部には厚肉部５ａ，５ｂが設けられている。これらの厚肉部５ａ，５ｂには周方向溝６がそれぞれ形成されている。また、各分割握り部材２の後端部には長手方向溝３の底面から厚肉部５ｂを貫通するピン孔７が設けられている。一方の分割握り部材３のピン孔７にはピン８が接着により固着されている。ピン８は２本設けてもよく、この場合、分割握り部材２の長手方向又は長手方向と直角方向に近接させて配置する。
【００１４】
１対の分割握り部材２，２は、その内面が対向するように重ね合わされる。このとき、ピン８が他方の分割握り部材３のピン孔７に挿入され、位置決めがなされる。このように分割握り部材２，２を重ね合わせると、２つの長手方向溝３，３により、うちわの握り柄の挿入孔が形成される。図１，２において矢印Ｉは握り柄の挿入方向を示している。また分割握り部材２，２を重ね合わせにより、前後にそれぞれ設けられた周方向溝６，６が連続して環状溝が形成される。この環状溝６，６には環状ゴム９が嵌め込まれる。この環状ゴム９の弾性力により、１対の分割握り部材２，２は互いに押さえ付けられる。
【００１５】
図４は握り補助具１の使用態様を示している。同図（ａ）に示すように、うちわの握り柄１０を握り補助具１の挿入孔（２つの長手方向溝３，３）に挿入する。握り柄１０の厚みが多少厚くても、これを挿入孔に挿入することにより、１対の分割握り部材２，２は環状ゴム９の弾性力に抗して互いに離間するように開き、握り柄１０は分割握り部材２，２間に挟持される。すなわち、分割握り部材２，２は開閉するので、種々の厚みの握り柄１０に対応することができる。また、挿入孔の入口にはテーパ部４が設けられているので、握り柄１０の挿入をスムーズに行える。
【００１６】
図４（ｂ）は、握り補助具１に握り柄１０を挿入した状態を示している。このような握り補助具１によれば、既存のうちわの握り柄１０の厚み及び幅を適度な大きさに変えることができる。これによって、握り心地が改善され、手の疲れを感じにくくすることができる。
【符号の説明】
【００１７】
１      握り補助具
２      分割握り部材
３      長手方向溝
４      テーパ部
５ａ，５ｂ      厚肉部
６      周方向溝
８      ピン
９      環状ゴム
１０      握り柄
【図１】
0003171892.tif 000003
【図２】
0003171892.tif 000004
【図３】
0003171892.tif 000005
【図４】
0003171892.tif 000006